(57)【要約】  【課題】主装置と無線電話端末とが同じネットワークか否かにかかわらず、主装置が提供する内線電話サービスを無線電話端末で享受可能とする。  【解決手段】無線電話端末２は、通知先を主装置１、通知内容を呼制御メッセージとするプッシュ通知要求をプッシュ通知サーバ３に送信して、主装置１に呼制御メッセージを送信するとともに、通知元を主装置１、通知内容を呼制御メッセージとするプッシュ通知をプッシュ通知サーバ３から受信して、主装置１から呼制御メッセージを受信する。主装置１は、通知元を無線電話端末２、通知内容を呼制御メッセージとするプッシュ通知をプッシュ通知サーバ３から受信して、無線電話端末２から呼制御メッセージを受信するとともに、通知先を無線電話端末２、通知内容を呼制御メッセージとするプッシュ通知要求をプッシュ通知サーバ３に送信して、無線電話端末２に呼制御メッセージを送信する。【選択図】図１
2019075651.tif 000002
【特許請求の範囲】
【請求項１】
無線電話端末と、前記無線電話端末を収容する主装置と、を備えた内線電話システムであって、
前記無線電話端末は、
通知先を前記主装置とし、通知内容を呼制御メッセージとするプッシュ通知要求を、プッシュ通知サーバに送信することにより、前記主装置に当該呼制御メッセージを送信する端末側呼制御メッセージ送信手段と、
通知元を前記主装置とし、通知内容を呼制御メッセージとするプッシュ通知を、前記プッシュ通知サーバから受信することにより、前記主装置から当該呼制御メッセージを受信する端末側呼制御メッセージ受信手段と、を有し、
前記主装置は、
通知元を前記無線電話端末とし、通知内容を呼制御メッセージとするプッシュ通知を、前記プッシュ通知サーバから受信することにより、前記無線電話端末から当該呼制御メッセージを受信する主装置側呼制御メッセージ受信手段と、
通知先を前記無線電話端末とし、通知内容を呼制御メッセージとするプッシュ通知要求を、前記プッシュ通知サーバに送信することにより、前記無線電話端末に当該呼制御メッセージを送信する主装置側呼制御メッセージ送信手段と、を有する
ことを特徴とする内線電話システム。
【請求項２】
主装置が提供する内線電話サービスを享受する内線電話機能を備えた無線電話端末であって、
通知先を前記主装置とし、通知内容を呼制御メッセージとするプッシュ通知要求を、プッシュ通知サーバに送信することにより、前記主装置に当該呼制御メッセージを送信する端末側呼制御メッセージ送信手段と、
通知元を前記主装置とし、通知内容を呼制御メッセージとするプッシュ通知を、前記プッシュ通知サーバから受信することにより、前記主装置から当該呼制御メッセージを受信する端末側呼制御メッセージ受信手段と、を有する
ことを特徴とする無線電話端末。
【請求項３】
無線電話端末に内線電話サービスを提供する主装置であって、
通知元を前記無線電話端末とし、通知内容を呼制御メッセージとするプッシュ通知を、プッシュ通知サーバから受信することにより、前記無線電話端末から当該呼制御メッセージを受信する主装置側呼制御メッセージ受信手段と、
通知先を前記無線電話端末とし、通知内容を呼制御メッセージとするプッシュ通知要求を、前記プッシュ通知サーバに送信することにより、前記無線電話端末に当該呼制御メッセージを送信する主装置側呼制御メッセージ送信手段と、を有する
ことを特徴とする主装置。
【請求項４】
コンピュータで読み取り可能なプログラムであって、
前記プログラムは、
前記コンピュータを、主装置が提供する内線電話サービスを享受する内線電話機能を備えた無線電話端末として機能させ、
前記無線電話端末は、
通知先を前記主装置とし、通知内容を呼制御メッセージとするプッシュ通知要求を、プッシュ通知サーバに送信することにより、前記主装置に当該呼制御メッセージを送信する端末側呼制御メッセージ送信手段と、
通知元を前記主装置とし、通知内容を呼制御メッセージとするプッシュ通知を、前記プッシュ通知サーバから受信することにより、前記主装置から当該呼制御メッセージを受信する端末側呼制御メッセージ受信手段と、を有する
ことを特徴とするコンピュータで読み取り可能なプログラム。
【請求項５】
コンピュータで読み取り可能なプログラムであって、
前記プログラムは、
前記コンピュータを、無線電話端末に内線電話サービスを提供する主装置として機能させ、
前記主装置は、
通知元を前記無線電話端末とし、通知内容を呼制御メッセージとするプッシュ通知を、プッシュ通知サーバから受信することにより、前記無線電話端末から当該呼制御メッセージを受信する主装置側呼制御メッセージ受信手段と、
通知先を前記無線電話端末とし、通知内容を呼制御メッセージとするプッシュ通知要求を、前記プッシュ通知サーバに送信することにより、前記無線電話端末に当該呼制御メッセージを送信する主装置側呼制御メッセージ送信手段と、を有する
ことを特徴とするコンピュータで読み取り可能なプログラム。
【請求項６】
無線電話端末と、前記無線電話端末を収容する主装置と、を備えた内線電話システムの通信方法であって、
前記無線電話端末は、
通知先を前記主装置とし、通知内容を呼制御メッセージとするプッシュ通知要求を、プッシュ通知サーバに送信することにより、前記主装置に当該呼制御メッセージを送信するとともに、通知元を前記主装置とし、通知内容を呼制御メッセージとするプッシュ通知を、前記プッシュ通知サーバから受信することにより、前記主装置から当該呼制御メッセージを受信し、
前記主装置は、
通知元を前記無線電話端末とし、通知内容を呼制御メッセージとするプッシュ通知を、前記プッシュ通知サーバから受信することにより、前記無線電話端末から当該呼制御メッセージを受信するとともに、通知先を前記無線電話端末とし、通知内容を呼制御メッセージとするプッシュ通知要求を、前記プッシュ通知サーバに送信することにより、前記無線電話端末に当該呼制御メッセージを送信する
ことを特徴とする内線電話システムの通信方法。
【発明の詳細な説明】
【技術分野】
【０００１】
本発明は、無線電話端末を用いた内線電話システムに関する。
【背景技術】
【０００２】
近年、スマートフォン等の無線電話端末を用いた内線電話システムが知られている（例えば特許文献１）。一般に、この種の内線電話システムにおいて、無線電話端末は、専用のアプリケーションプログラムを起動させることにより内線電話機能を有効にする。そして、この内線電話機能により、無線電話端末は、アクセスポイント経由で主装置と呼制御メッセージを送受信することにより、主装置が提供する内線電話サービスを享受する。
【先行技術文献】
【特許文献】
【０００３】
【特許文献１】特開２００８−１８７２２４号公報
【発明の概要】
【発明が解決しようとする課題】
【０００４】
しかしながら、従来の無線電話端末を用いた内線電話システムは、無線電話端末がアクセスポイントを介して主装置と同じネットワークに所属していることを前提としている。無線電話端末がアクセスポイントの圏外に移動して、主装置と同じネットワークから離脱した場合、無線電話端末および主装置間で呼制御メッセージの送受信を行うことができないため、無線電話端末は、主装置が提供する内線電話サービスを享受することができない。
【０００５】
本発明は上記事情に鑑みてなされたものであり、本発明の目的は、主装置と無線電話端末とが同じネットワークに所属しているか否かにかかわらず、主装置が提供する内線電話サービスを無線電話端末で享受可能とする技術を提供することにある。
【課題を解決するための手段】
【０００６】
上記課題を解決するために、本発明では、プッシュ通知を利用して無線電話端末および主装置間で呼制御メッセージを送受信することにより、主装置が提供する内線電話サービスを無線電話端末で享受できるようにした。
【０００７】
例えば、本発明の内線電話システムは、
無線電話端末と、前記無線電話端末を収容する主装置と、を備えた内線電話システムであって、
前記無線電話端末は、
通知先を前記主装置とし、通知内容を呼制御メッセージとするプッシュ通知要求を、プッシュ通知サーバに送信することにより、前記主装置に当該呼制御メッセージを送信する端末側呼制御メッセージ送信手段と、
通知元を前記主装置とし、通知内容を呼制御メッセージとするプッシュ通知を、前記プッシュ通知サーバから受信することにより、前記主装置から当該呼制御メッセージを受信する端末側呼制御メッセージ受信手段と、を有し、
前記主装置は、
通知元を前記無線電話端末とし、通知内容を呼制御メッセージとするプッシュ通知を、前記プッシュ通知サーバから受信することにより、前記無線電話端末から当該呼制御メッセージを受信する主装置側呼制御メッセージ受信手段と、
通知先を前記無線電話端末とし、通知内容を呼制御メッセージとするプッシュ通知要求を、前記プッシュ通知サーバに送信することにより、前記無線電話端末に当該呼制御メッセージを送信する主装置側呼制御メッセージ送信手段と、を有する。
【発明の効果】
【０００８】
本発明によれば、プッシュ通知を利用して無線電話端末および主装置間で呼制御メッセージを送受信するので、無線電話端末および主装置がプッシュ通知サーバと通信可能であるかぎり、主装置と無線電話端末とが同じネットワークに所属しているか否かにかかわらず、主装置が提供する内線電話サービスを無線電話端末で享受することができる。
【図面の簡単な説明】
【０００９】
【図１】図１は、本発明の一実施の形態に係る内線電話システムの概略構成図である。
【図２】図２は、本発明の一実施の形態に係る内線電話システムの動作例を説明するためのシーケンス図である。
【図３】図３は、本発明の一実施の形態に係る内線電話システムの動作例を説明するためのシーケンス図であり、図２の続きである。
【図４】図４は、主装置１の概略構成図である。
【図５】図５は、主装置１の動作を説明するためのフロー図である。
【図６】図６は、無線電話端末２の概略構成図である。
【図７】図７は、無線電話端末２の発信処理の動作を説明するためのフロー図である。
【図８】図８は、無線電話端末２の着信処理の動作を説明するためのフロー図である。
【図９】図９は、無線電話端末２の終話処理の動作を説明するためのフロー図である。
【発明を実施するための形態】
【００１０】
以下に、本発明の一実施の形態について図面を参照して説明する。
【００１１】
図１は、本実施の形態に係る内線電話システムの概略構成図である。
【００１２】
図示するように、本実施の形態に係る内線電話システムは、複数の無線電話端末２−１、２−２（以下、単に、無線電話端末２とも呼ぶ）と、無線電話端末２を収容する主装置１と、プッシュ通知サーバ３と、を備えて構成される。
【００１３】
主装置１は、ＬＡＮ（Ｌｏｃａｌ  Ａｒｅａ  Ｎｅｔｗｏｒｋ）６に接続されており、ＬＡＮ６は、ゲートウェイ４を介してＩＰ（Ｉｎｔｅｒｎｅｔ  Ｐｒｏｔｏｃｏｌ）網７に接続されている。無線電話端末２は、基地局５を介して３Ｇ（３ｒｄ  Ｇｅｎｅｒａｔｉｏｎ）／ＬＴＥ（Ｌｏｎｇ  Ｔｅｒｍ  Ｅｖｏｌｕｔｉｏｎ）網等のプッシュ通知サービスに対応した携帯電話網８に接続されており、携帯電話網８は、ＩＰ網７に接続されている。また、プッシュ通知サーバ３は、プッシュ通知サービスを提供するサーバであり、ＩＰ網７に接続されている。
【００１４】
上記構成において、主装置１および無線電話端末２は、プッシュ通知サーバ３が提供するプッシュ通知サービスを利用して、互いに呼制御メッセージを送受信する。これにより、無線電話端末２は、主装置１が提供する内線電話サービスを享受する。
【００１５】
図２および図３は、本実施の形態に係る内線電話システムの動作例を説明するためのシーケンス図である。
【００１６】
まず、無線電話端末２−１が、無線電話端末２−２の番号情報の指定を伴う発信操作をユーザから受け付けたものとする（Ｓ１００）。これを受けて、無線電話端末２−１は、主装置１を通知先とし、無線電話端末２−２の番号情報が相手番号として指定された接続要求メッセージを通知内容とするプッシュ通知要求を、基地局５、携帯電話網８、およびＩＰ網７を介して、プッシュ通知サーバ３に送信する（Ｓ１０１）。
【００１７】
つぎに、プッシュ通知サーバ３は、無線電話端末２−１からプッシュ通知要求を受信すると、このプッシュ通知要求の送信元である無線電話端末２−１を通知元とし、このプッシュ通知要求の通知内容である接続要求メッセージを通知内容とするプッシュ通知を、ＩＰ網７、ゲートウェイ４、およびＬＡＮ６を介して、無線電話端末２−１から受信したプッシュ通知要求の通知先である主装置１に送信する（Ｓ１０２）。
【００１８】
これを受けて、主装置１は、プッシュ通知サーバ３から受信したプッシュ通知の通知内容である接続要求メッセージで指定されている相手番号により特定される無線電話端末２−２を通知先とし、この接続要求メッセージを通知内容とするプッシュ通知要求を、ＬＡＮ６、ゲートウェイ４、およびＩＰ網７を介して、プッシュ通知サーバ３に送信する（Ｓ１０３）。
【００１９】
つぎに、プッシュ通知サーバ３は、主装置１からプッシュ通知要求を受信すると、このプッシュ通知要求の送信元である主装置１を通知元とし、このプッシュ通知要求の通知内容である接続要求メッセージを通知内容とするプッシュ通知を、ＩＰ網７、携帯電話網８、および基地局５を介して、主装置１から受信したプッシュ通知要求の通知先である無線電話端末２−２に送信する（Ｓ１０４）。
【００２０】
これを受けて、無線電話端末２−２は、着信鳴動等により着信通知を実施して、ユーザに着信があることを通知する（Ｓ１０５）。無線電話端末２−２は、ユーザから応答操作を受け付けると（Ｓ１０６）、主装置１を通知先とし、無線電話端末２−１の番号情報が相手番号として指定された接続応答メッセージを通知内容とするプッシュ通知要求を、基地局５、携帯電話網８、およびＩＰ網７を介して、プッシュ通知サーバ３に送信する（Ｓ１０７）。
【００２１】
つぎに、プッシュ通知サーバ３は、無線電話端末２−２からプッシュ通知要求を受信すると、このプッシュ通知要求の送信元である無線電話端末２−２を通知元とし、このプッシュ通知要求の通知内容である接続応答メッセージを通知内容とするプッシュ通知を、ＩＰ網７、ゲートウェイ４、およびＬＡＮ６を介して、無線電話端末２−２から受信したプッシュ通知要求の通知先である主装置１に送信する（Ｓ１０８）。
【００２２】
これを受けて、主装置１は、プッシュ通知サーバ３から受信したプッシュ通知の通知内容である接続応答メッセージで指定されている相手番号により特定される無線電話端末２−１を通知先とし、この接続応答メッセージを通知内容とするプッシュ通知要求を、ＬＡＮ６、ゲートウェイ４、およびＩＰ網７を介して、プッシュ通知サーバ３に送信する（Ｓ１０９）。
【００２３】
つぎに、プッシュ通知サーバ３は、主装置１からプッシュ通知要求を受信すると、このプッシュ通知要求の送信元である主装置１を通知元とし、このプッシュ通知要求の通知内容である接続応答メッセージを通知内容とするプッシュ通知を、ＩＰ網７、携帯電話網８、および基地局５を介して、主装置１から受信したプッシュ通知要求の通知先である無線電話端末２−１に送信する（Ｓ１１０）。
【００２４】
以上により、主装置１を介して無線電話端末２−１と無線電話端末２−２との間に通話路（ＶｏＩＰ通話路あるいはＶｏＬＴＥ通話路）が確立され、主装置１は、この通話路を介して音声通話、あるいはテレビ音声通話を中継する（Ｓ１１１）。
【００２５】
つぎに、無線電話端末２−１が、ユーザから切断操作を受け付けたものとする（Ｓ１１２）。これを受けて、無線電話端末２−１は、主装置１を通知先とし、無線電話端末２−２の番号情報が相手番号として指定された切断要求メッセージを通知内容とするプッシュ通知要求を、基地局５、携帯電話網８、およびＩＰ網７を介して、プッシュ通知サーバ３に送信する（Ｓ１１３）。
【００２６】
つぎに、プッシュ通知サーバ３は、無線電話端末２−１からプッシュ通知要求を受信すると、このプッシュ通知要求の送信元である無線電話端末２−１を通知元とし、このプッシュ通知要求の通知内容である切断要求メッセージを通知内容とするプッシュ通知を、ＩＰ網７、ゲートウェイ４、およびＬＡＮ６を介して、無線電話端末２−１から受信したプッシュ通知要求の通知先である主装置１に送信する（Ｓ１１４）。
【００２７】
これを受けて、主装置１は、プッシュ通知サーバ３から受信したプッシュ通知の通知内容である切断要求メッセージで指定されている相手番号により特定される無線電話端末２−２を通知先とし、この切断要求メッセージを通知内容とするプッシュ通知要求を、ＬＡＮ６、ゲートウェイ４、およびＩＰ網７を介して、プッシュ通知サーバ３に送信する（Ｓ１１５）。
【００２８】
つぎに、プッシュ通知サーバ３は、主装置１からプッシュ通知要求を受信すると、このプッシュ通知要求の送信元である主装置１を通知元とし、このプッシュ通知要求の通知内容である切断要求メッセージを通知内容とするプッシュ通知を、ＩＰ網７、携帯電話網８、および基地局５を介して、主装置１から受信したプッシュ通知要求の通知先である無線電話端末２−２に送信する（Ｓ１１６）。
【００２９】
これを受けて、無線電話端末２−２は、主装置１を通知先とし、無線電話端末２−１の番号情報が相手番号として指定された切断応答メッセージを通知内容とするプッシュ通知要求を、基地局５、携帯電話網８、およびＩＰ網７を介して、プッシュ通知サーバ３に送信する（Ｓ１１７）。
【００３０】
つぎに、プッシュ通知サーバ３は、無線電話端末２−２からプッシュ通知要求を受信すると、このプッシュ通知要求の送信元である無線電話端末２−２を通知元とし、このプッシュ通知要求の通知内容である切断応答メッセージを通知内容とするプッシュ通知を、ＩＰ網７、ゲートウェイ４、およびＬＡＮ６を介して、無線電話端末２−２から受信したプッシュ通知要求の通知先である主装置１に送信する（Ｓ１１８）。
【００３１】
これを受けて、主装置１は、プッシュ通知サーバ３から受信したプッシュ通知の通知内容である切断応答メッセージで指定されている相手番号により特定される無線電話端末２−１を通知先とし、この切断応答メッセージを通知内容とするプッシュ通知要求を、ＬＡＮ６、ゲートウェイ４、およびＩＰ網７を介して、プッシュ通知サーバ３に送信する（Ｓ１１９）。
【００３２】
つぎに、プッシュ通知サーバ３は、主装置１からプッシュ通知要求を受信すると、このプッシュ通知要求の送信元である主装置１を通知元とし、このプッシュ通知要求の通知内容である切断応答メッセージを通知内容とするプッシュ通知を、ＩＰ網７、携帯電話網８、および基地局５を介して、主装置１から受信したプッシュ通知要求の通知先である無線電話端末２−１に送信する（Ｓ１２０）。
【００３３】
以上により、主装置１を介して無線電話端末２−１と無線電話端末２−２との間に確立されていた通話路が解放される（Ｓ１２１）。
【００３４】
つぎに、本実施の形態に係る内線電話システムを構成する主装置１および無線電話端末２の詳細を説明する。なお、プッシュ通知サーバ３には、既存のサーバを利用できるので、その詳細な説明を省略する。
【００３５】
まず、主装置１について説明する。
【００３６】
図４は、主装置１の概略構成図である。
【００３７】
図示するように、主装置１は、通信インターフェース部１０と、プッシュ通知処理部１１と、主装置機能部１２と、を備えている。
【００３８】
通信インターフェース部１０は、ＬＡＮ６を介して無線電話端末２およびプッシュ通知サーバ３を含む他の通信装置と通信を行うためのインターフェースである。
【００３９】
プッシュ通知処理部１１は、プッシュ通知サーバ３にプッシュ通知要求を送信するとともに、プッシュ通知サーバ３からプッシュ通知を受信する。
【００４０】
主装置機能部１２は、無線電話端末２に内線電話サービスを提供する主装置として必要な処理を実施する。具体的には、ＳＩＰ（Ｓｅｓｓｉｏｎ  Ｉｎｉｔｉａｔｉｏｎ  Ｐｒｏｔｏｃｏｌ）等の所定の呼制御プロトコルに従い、プッシュ通知処理部１１を介して無線電話端末２と呼制御メッセージを送受信することにより、無線電話端末２間に通話路を確立したり、確立された通話路を解放したりする。また、ＲＴＰ（Ｒｅａｌｔｉｍｅ  Ｔｒａｎｓｐｏｒｔ  Ｐｒｏｔｏｃｏｌ）等の所定の伝送プロトコルに従い、通話路を介して無線電話端末２間の音声通話あるいはテレビ音声通話を中継する。
【００４１】
図５は、主装置１の動作を説明するためのフロー図である。
【００４２】
プッシュ通知処理部１１は、通信インターフェース部１０を介してプッシュ通知サーバ３からプッシュ通知を受信すると（Ｓ２００でＹＥＳ）、このプッシュ通知から、通知内容である呼制御メッセージを抽出する（Ｓ２０１）。そして、抽出した呼制御メッセージを主装置機能部１２に渡す。
【００４３】
これを受けて、主装置機能部１２は、所定の呼制御プロトコルに従い、プッシュ通知処理部１１から受け取った呼制御メッセージを処理する（Ｓ２０２）。そして、この呼制御メッセージで指定されている相手番号により特定される無線電話端末２に対する呼制御メッセージを、この相手番号とともにプッシュ通知処理部１１に渡す。
【００４４】
つぎに、プッシュ通知処理部１１は、主装置機能部１２から呼制御メッセージおよび相手番号を受け取ると、この相手番号により特定される無線電話端末２を通知先とし、この呼制御メッセージを通知内容とするプッシュ通知要求を生成する。そして、通信インターフェース部１０を介してプッシュ通知サーバ３に、このプッシュ通知要求を送信する（Ｓ２０３）。
【００４５】
また、主装置機能部１２は、通信インターフェース部１０を介して無線電話端末２から通話データを受信すると（Ｓ２０４でＹＥＳ）、所定の伝送プロトコルに従い、この無線電話端末２との間に通話路が確立されている通話相手の無線電話端末２を特定する。そして、通信インターフェース部１０を介して通話相手の無線電話端末２に、この通話データを中継する（Ｓ２０５）。
【００４６】
つぎに、無線電話端末２について説明する。
【００４７】
図６は、無線電話端末２の概略構成図である。
【００４８】
図示するように、無線電話端末２は、無線通信インターフェース部２０と、マンマシンインターフェース部２１と、プッシュ通知処理部２２と、内線電話機能部２３と、を備えている。
【００４９】
無線通信インターフェース部２０は、基地局５および携帯電話網８を介して、主装置１、他の無線電話端末２、およびプッシュ通知サーバ３と通信を行うためのインターフェースである。
【００５０】
マンマシンインターフェース部２１は、ユーザに情報を提示したり、ユーザから情報の入力を受け付けたり、ユーザが電話したりするためのインターフェースであり、タッチパネル等の入力装置と、液晶ディスプレイ等の表示装置と、ハンドセット等の音声入出力装置と、を有している。
【００５１】
プッシュ通知処理部２２は、プッシュ通知サーバ３にプッシュ通知要求を送信するとともに、プッシュ通知サーバ３からプッシュ通知を受信する。
【００５２】
内線電話機能部２３は、主装置１が提供する内線電話サービスを享受するために必要な処理を実施する。具体的には、ＳＩＰ等の所定の呼制御プロトコルに従い、プッシュ通知処理部２２を介して主装置１と呼制御メッセージを送受信することにより、他の無線電話端末２との間に通話路を確立したり、確立された通話路を解放したりする。また、ＲＴＰ等の所定の伝送プロトコルに従い、確立されている通話路を介して他の無線電話端末２と音声通話あるいはテレビ音声通話を実施する。
【００５３】
図７は、無線電話端末２の発信処理の動作を説明するためのフロー図である。
【００５４】
このフローは、マンマシンインターフェース部２１が、相手番号（発信先番号）の指定を伴う発信操作をユーザから受け付けることにより開始される。
【００５５】
まず、マンマシンインターフェース部２１は、ユーザから受け付けた発信操作を内線電話機能部２３に通知する。内線電話機能部２３は、発信操作で受け付けた相手番号の指定を伴う接続要求メッセージを生成する（Ｓ３００）。そして、この接続要求メッセージをプッシュ通知処理部２２に渡す。これを受けて、プッシュ通知処理部２２は、主装置１を通知先とし、この接続要求メッセージを通知内容とするプッシュ通知要求を生成して、無線通信インターフェース部２０を介してプッシュ通知サーバ３に、このプッシュ通知要求を送信する（Ｓ３０１）。
【００５６】
つぎに、プッシュ通知処理部２２は、無線通信インターフェース部２０を介してプッシュ通知サーバ３からプッシュ通知を受信すると（Ｓ３０２でＹＥＳ）、このプッシュ通知から、通知内容である呼制御メッセージを抽出する（Ｓ３０３）。それから、抽出した呼制御メッセージを内線電話機能部２３に渡す。
【００５７】
内線電話機能部２３は、プッシュ通知処理部２２から受け取った呼制御メッセージが接続応答メッセージである場合（Ｓ３０４でＹＥＳ）、発信先の無線電話端末２との間に主装置１経由で通話路が確立されたので、この通話路を用いて通話を開始する（Ｓ３０５）。一方、話中メッセージ等の接続応答メッセージ以外の呼制御メッセージである場合（Ｓ３０４でＮＯ）、その呼制御メッセージの内容に応じた呼制御メッセージ処理を実施する（Ｓ３０６）。
【００５８】
図８は、無線電話端末２の着信処理の動作を説明するためのフロー図である。
【００５９】
このフローは、プッシュ通知処理部２２が無線通信インターフェース部２０を介してプッシュ通知サーバ３から接続要求メッセージを通知内容とするプッシュ通知を受信することにより開始される。
【００６０】
まず、プッシュ通知処理部２２は、受信したプッシュ通知から、通知内容である接続要求メッセージを抽出して内線電話機能部２３に渡す。これを受けて、内線電話機能部２３は、着信鳴動等により、マンマシンインターフェース部２１に着信通知を出力する（Ｓ３１０）。
【００６１】
つぎに、マンマシンインターフェース部２１は、ユーザから応答操作を受け付けると（Ｓ３１１でＹＥＳ）、これを内線電話機能部２３に通知する。これを受けて、内線電話機能部２３は、接続応答メッセージを生成して（Ｓ３１２）、この接続応答メッセージをプッシュ通知処理部２２に渡す。そして、プッシュ通知処理部２２は、主装置１を通知先とし、この接続応答メッセージを通知内容とするプッシュ通知要求を生成する。それから、プッシュ通知処理部２２は、無線通信インターフェース部２０を介してプッシュ通知サーバ３に、このプッシュ通知要求を送信する（Ｓ３１３）。これにより、接続要求メッセージの発信元の無線電話端末２との間に主装置１経由で通話路が確立され、内線電話機能部２３は、この通話路を用いて通話を開始する（Ｓ３１４）。
【００６２】
図９は、無線電話端末２の終話処理の動作を説明するためのフロー図である。
【００６３】
このフローは、通話路確立中において、マンマシンインターフェース部２１がユーザから切断操作を受け付けるか、あるいは、プッシュ通知処理部２２が無線通信インターフェース部２０を介してプッシュ通知サーバ３から、切断要求メッセージを通知内容とするプッシュ通知を受信することにより開始される。
【００６４】
まず、内線電話機能部２３は、マンマシンインターフェース部２１が切断操作を受け付けて、これをマンマシンインターフェース部２１から通知された場合（Ｓ３２０で切断操作）、Ｓ３２１に進む。一方、プッシュ通知処理部２２が切断要求メッセージを通知内容とするプッシュ通知を受信して、内線電話機能部２３がこの切断要求メッセージをプッシュ通知処理部２２から受け付けた場合（Ｓ３２０で切断要求メッセージ）、Ｓ３２６に進む。
【００６５】
Ｓ３２１において、内線電話機能部２３は、通話路を介して接続された他の無線電話端末２の番号情報である相手番号の指定を伴う切断要求メッセージを生成し、この切断要求メッセージをプッシュ通知処理部２２に渡す。これを受けて、プッシュ通知処理部２２は、主装置１を通知先とし、この切断要求メッセージを通知内容とするプッシュ通知要求を生成して、無線通信インターフェース部２０を介してプッシュ通知サーバ３に、このプッシュ通知要求を送信する（Ｓ３２２）。
【００６６】
つぎに、プッシュ通知処理部２２は、無線通信インターフェース部２０を介してプッシュ通知サーバ３からプッシュ通知を受信すると（Ｓ３２３でＹＥＳ）、このプッシュ通知から、通知内容である呼制御メッセージを抽出し、抽出した呼制御メッセージを内線電話機能部２３に渡す。これを受けて、内線電話機能部２３は、プッシュ通知処理部２２から受け取った呼制御メッセージが切断応答メッセージであることを確認する（Ｓ３２４）。これにより、内線電話機能部２３は、通話路が解放されたことを認識し、通話を終了する（Ｓ３２５）。
【００６７】
一方、Ｓ３２６において、内線電話機能部２３は、切断応答メッセージを生成し、この切断応答メッセージをプッシュ通知処理部２２に渡す。これを受けて、プッシュ通知処理部２２は、主装置１を通知先とし、この切断応答メッセージを通知内容とするプッシュ通知要求を生成して、無線通信インターフェース部２０を介してプッシュ通知サーバ３に、このプッシュ通知要求を送信する（Ｓ３２７）。これにより、内線電話機能部２３は、通話路が解放されたことを認識し、通話を終了する（Ｓ３２５）。
【００６８】
以上、本発明の一実施の形態を説明した。
【００６９】
本実施の形態によれば、プッシュ通知を利用して主装置１および無線電話端末２間で呼制御メッセージを送受信するようにしたので、主装置１および無線電話端末２がプッシュ通知サーバ３と通信可能であるかぎり、主装置１と無線電話端末２とが同じネットワークに所属しているか否かにかかわらず、主装置１が提供する内線電話サービスを無線電話端末２で享受することができる。
【００７０】
なお、本発明は上記の実施の形態に限定されるものではなく、その要旨の範囲内で数々の変形が可能である。
【００７１】
例えば、上記の実施の形態において、図４に示す主装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵ、メモリ、ＨＤＤ等の補助記憶装置、およびＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）の汎用コンピュータにおいて、ＣＰＵが所定のプログラムを補助記憶装置からメモリ上にロードして実行することで実現されるものでもよい。また、図６に示す無線電話端末２の機能構成も、主装置１と同様に、ＡＳＩＣ、ＦＰＧＡなどの集積ロジックＩＣによりハード的に実現されるものでもよいし、あるいはＤＳＰなどの計算機によりソフトウエア的に実現されるものでもよい。または、ＣＰＵ、メモリ、フラッシュメモリ等の補助記憶装置、および無線アダプタ等の通信インターフェースを備えたスマートフォン、タブレット端末等の携帯型の汎用コンピュータにおいて、ＣＰＵが所定のプログラムを補助記憶装置からメモリ上にロードして実行することで実現されるものでもよい。
【００７２】
また、上記の実施の形態において、無線電話端末２は、主装置１と同じＬＡＮ６、あるいは図示していない別のＬＡＮに所属していてもよい。
【００７３】
また、主装置１は、接続要求メッセージ等の呼制御メッセージを受信した場合に、この呼制御メッセージで指定された相手番号の無線電話端末２が主装置１と同じネットワークから離脱していたら、その無線電話端末２を通知先とするプッシュ通知をプッシュ通知サーバ３に送信するようにしてもよい。
【００７４】
また、上記の実施の形態においては、プッシュ通知要求の通知内容に、１台の無線電話端末２の番号情報を相手番号として指定された接続要求メッセージ等が含まれているが、複数の無線電話端末２の番号情報を相手番号として指定された接続要求メッセージ等をプッシュ通知要求の通知内容とすることによって、多者通話を実現してもよい。
【符号の説明】
【００７５】
１：主装置    ２，２−１，２−２：無線電話端末    ３：プッシュ通知サーバ    ４：ゲートウェイ    ５：基地局    ６：ＬＡＮ    ７：ＩＰ網    ８：携帯電話網    １０：通信インターフェース部    １１：プッシュ通知処理部    １２：主装置機能部    ２０：無線通信インターフェース部    ２１：マンマシンインターフェース部    ２２：プッシュ通知処理部    ２３：内線電話機能部
【図１】
2019075651.tif 000003
【図２】
2019075651.tif 000004
【図３】
2019075651.tif 000005
【図４】
2019075651.tif 000006
【図５】
2019075651.tif 000007
【図６】
2019075651.tif 000008
【図７】
2019075651.tif 000009
【図８】
2019075651.tif 000010
【図９】
2019075651.tif 000011